(57)【要約】【課題】放水用ノズルの向きがバケット又はグラップル等のアタッチメントの動作に影響を受けないようにして、建物の取り壊しと放水とを同時に行なうことができる消火作業用油圧ショベルを提供する。また、人が近づくことが難しい距離、及び人が放水することが難しい高さから放水することを可能にするとともに、必要に応じて消火対象物を取り壊して火元に放水することができる消火方法を提供する。【解決手段】アーム２２に設けられた放水用ノズル３０と、アーム及びブーム２１に設けられた、放水用ノズルに水を供給する供給配管４０と、を備えることを特徴とする。また、上記の消火作業用油圧ショベル１を用いて、広角噴霧用ノズル３２からの放水で消火作業用油圧ショベルの前方を冷却しながら、棒状放水用ノズル３１からの放水で消火を行ない、必要に応じて消火作業用油圧ショベルに設けられたアタッチメント２３で消火対象物７０を取り壊すことを特徴とする。【選択図】図４
2019154945.tif 000002
【特許請求の範囲】
【請求項１】
アームに設けられた放水用ノズルと、
前記放水用ノズルに水を供給するために前記アーム及びブームに設けられた供給配管と、
を備えることを特徴とする消火作業用油圧ショベル。
【請求項２】
前記放水用ノズルが複数設けられ、
前記放水用ノズルのうち少なくとも一つが棒状放水用ノズルであり、
さらに、前記放水用ノズルのうち少なくとも一つが広角噴霧用ノズルであり、
前記棒状放水用ノズル及び前記広角噴霧用ノズルから同時に放水可能なことを特徴とする請求項１に記載の消火作業用油圧ショベル。
【請求項３】
前記放水用ノズルが、前記アームに対して上方向又は下方向に傾斜されていることを特徴とする請求項１又は２に記載の消火作業用油圧ショベル。
【請求項４】
前記放水用ノズルが、前記アームに対して左右方向のうち運転席側に傾斜されていることを特徴とする請求項１ないし３のいずれか１項に記載の消火作業用油圧ショベル。
【請求項５】
前記供給配管のうち前記アームと前記ブームとの連結部に対応する箇所に、伸縮継手とフレキシブル継手とを備えることを特徴とする請求項１ないし４のいずれか１項に記載の消火作業用油圧ショベル。
【請求項６】
請求項２ないし５のいずれか１項に記載の消火作業用油圧ショベルを用いて、
前記広角噴霧用ノズルからの放水で前記消火作業用油圧ショベルの前方を冷却しながら、前記棒状放水用ノズルからの放水で消火を行ない、
さらに、必要に応じて前記消火作業用油圧ショベルに設けられたアタッチメントで消火対象物を取り壊すことを特徴とする消火方法。
【発明の詳細な説明】
【技術分野】
【０００１】
本発明は、放水用ノズルが設けられた消火作業用油圧ショベル、及び該消火作業用油圧ショベルを用いた消火方法に関する。
【背景技術】
【０００２】
従来、油圧ショベルに放水用ノズルを設けたものとして、例えば、特開２００４−２７０２７４号公報に、下部走行体に流体タンクとポンプとを備え、スイベルジョイントを介して上部旋回体のブーム先端部付近のノズルより、流体を送給可能とした流体送給装置付きパワーショベルが開示されている。
【先行技術文献】
【特許文献】
【０００３】
【特許文献１】特開２００４−２７０２７４号公報
【発明の概要】
【発明が解決しようとする課題】
【０００４】
しかし、特許文献１に開示されている技術では、油圧ショベルのバケットに放水用ノズルが設けられている。このため、火災現場において、放水のために建物を取り壊しながら放水しようとすると、バケット又はグラップル等のアタッチメントが取り壊しのために動作することによって、放水したい方向を向かないときがある。このため、建物の取り壊しと放水とを同時に行なうことが困難であった。
【０００５】
本発明は、上記の点に鑑みなされたもので、放水用ノズルの向きがバケット又はグラップル等のアタッチメントの動作に影響を受けず、建物の取り壊しと放水とを同時に行なうことができる消火作業用油圧ショベルを提供することを目的とする。
【０００６】
また、本発明の別の目的は、人が近づくことが難しい距離、及び人が放水することが難しい高さから放水することを可能にするとともに、必要に応じて消火対象物を取り壊して火元に効果的に放水することができる消火方法を提供することである。
【課題を解決するための手段】
【０００７】
本発明の消火作業用油圧ショベルは、
アームに設けられた放水用ノズルと、
前記放水用ノズルに水を供給するために前記アーム及びブームに設けられた供給配管と、
を備えることを特徴とする。
【０００８】
本発明の消火作業用油圧ショベルによれば、放水用ノズルがバケット又はグラップル等のアタッチメントよりも作業装置の根元側にあるアームに設けられる。このため、放水用ノズルの向きがアタッチメントの動作に影響されず、アタッチメントを動作させながら放水を続けることができる。なお、ここでの作業装置とは、油圧ショベルのブーム、アーム、バケット又はグラップル等のアタッチメント、及びこれらを動作させるための各種油圧シリンダー等を総称して呼ぶことを意図する。
【０００９】
本発明の消火作業用油圧ショベルの好ましい例は、
前記放水用ノズルが複数設けられ、
前記放水用ノズルのうち少なくとも一つが棒状放水用ノズルであり、
さらに、前記放水用ノズルのうち少なくとも一つが広角噴霧用ノズルであり、
前記棒状放水用ノズル及び前記広角噴霧用ノズルから同時に放水可能なことを特徴とする。
【００１０】
本発明の消火作業用油圧ショベルの好ましい例によれば、放水用ノズルに棒状放水用ノズルと広角噴霧用ノズルとを備え、これらの棒状放水用ノズル及び広角噴霧用ノズルから同時に放水可能なため、広角噴霧用ノズルからの放水によって消火作業用油圧ショベルの前方周囲を冷却して、油圧ショベルとその運転者を保護しながら、棒状放水用ノズルからの放水で消火作業を続けることができる。
【００１１】
本発明の消火作業用油圧ショベルの好ましい例は、
前記放水用ノズルが、前記アームに対して上方向又は下方向に傾斜されていることを特徴とする。
【００１２】
本発明の消火作業用油圧ショベルの好ましい例によれば、放水用ノズルが、アームに対して上方向又は下方向に傾斜されているため、アタッチメントを避けて放水することが容易になり、アタッチメントの動作範囲を広げることができる。
【００１３】
本発明の消火作業用油圧ショベルの好ましい例は、
前記放水用ノズルが、前記アームに対して左右方向のうち運転席側に傾斜されていることを特徴とする。
【００１４】
本発明の消火作業用油圧ショベルの好ましい例によれば、放水用ノズルが、アームに対して左右方向のうち運転席側に傾斜されているため、運転者から見て火元及び放水の状態が作業装置に遮られることがなく容易に視認でき、目標とするところに的確に放水することができる。
【００１５】
本発明の消火作業用油圧ショベルの好ましい例は、
前記供給配管のうち前記アームと前記ブームとの連結部に対応する箇所に、伸縮継手とフレキシブル継手とを備えることを特徴とする。
【００１６】
本発明の消火作業用油圧ショベルの好ましい例によれば、供給配管のうち、アームとブームとの間に伸縮継手とフレキシブル継手とを備えるため、ブームに対してアームを伸長又は屈曲させるときに、供給配管がブーム及びアームの角度変化に追従し易くなる。
【００１７】
本発明の消火方法は、
上述の消火作業用油圧ショベルを用いて、
前記広角噴霧用ノズルからの放水で前記消火作業用油圧ショベルの前方を冷却しながら、前記棒状放水用ノズルからの放水で消火を行ない、
さらに、必要に応じて前記消火作業用油圧ショベルに設けられたアタッチメントで消火対象物を取り壊すことを特徴とする。
【００１８】
本発明の消火方法によれば、上述の消火作業用油圧ショベルと同様の作用効果を奏することができる。
【発明の効果】
【００１９】
上述のように、本発明の消火作業用油圧ショベルによれば、放水用ノズルの向きがバケット又はグラップル等のアタッチメントの動作に影響を受けないため、建物の取り壊しと放水とを同時に行なうことができる。
【００２０】
また、本発明の消火方法によれば、人が近づくことが難しい距離、及び人が放水することが難しい高さから放水することができるとともに、必要に応じて消火対象物を取り壊して火元に効果的に放水することができる。
【図面の簡単な説明】
【００２１】
【図１】本発明の一実施形態に係る消火作業用油圧ショベルの側面図である。
【図２】図１に示す消火作業用油圧ショベルの平面図である。
【図３】ホースガイドを説明する図である。
【図４】消火作業用油圧ショベルを用いて消火作業をしている状態を説明する図である。
【図５】消火作業用油圧ショベルを用いて消火作業をしている状態を説明する他の図である。
【発明を実施するための形態】
【００２２】
以下、本発明の消火作業用油圧ショベル１及び消火方法の実施形態について、添付の図面を参照して詳細に説明する。なお、本発明に係る消火方法は、本発明に係る消火作業用油圧ショベルを用いて実施される。
【００２３】
先ず、消火作業用油圧ショベル１の実施形態を説明する。図１及び図２に示すように、本実施形態の消火作業用油圧ショベル１は、油圧ショベル１０と、放水用ノズル３０と、供給配管４０と、ホースガイド６０とを備える。
【００２４】
油圧ショベル１０は、公知の油圧ショベルを用いることができる。この油圧ショベル１０は、下部走行体１１、上部旋回体１２を備え、さらに、上部旋回体１２は作業装置２０としてのブーム２１、アーム２２、アタッチメント２３、油圧シリンダ２４等を備える。本実施形態では、アタッチメント２３にバケットを装着しているが、対象物を挟むようなグラップルと呼ばれるもの、対象物を振動で破壊するブレーカと呼ばれるもの等、公知の各種アタッチメントを装着することができる。
【００２５】
放水用ノズル３０は、その先端から消火用の水を放水し、火災を鎮火させるためのもので、本実施形態では棒状放水用ノズル３１と広角噴霧用ノズル３２との２本のノズルを備える。棒状放水用ノズル３１は、放水された水が広がらずに棒状になるノズルであり、遠くまで放水することができ、かつ狭い範囲に集中して放水することができる。広角噴霧用ノズル３２は、放水された水が広角に霧状又は粒状に広がるもので、本実施形態では、主に油圧ショベル１０の前方を冷却して、油圧ショベル１０及び油圧ショベル１０の運転者を火災の熱から守る作用を有する。
【００２６】
これらの放水用ノズル３０は、油圧ショベル１０のアーム２２に取付けられる。これは、例えば、火災現場での消火対象物７０である建物７０等（図４参照）を取り壊しながら放水するときに、常に消火対象物７０に向けて放水することが可能となるように、バケット２３の動きに放水用ノズル３０の向きが左右されないようにするためである。
【００２７】
この放水用ノズル３０は、アーム２２に対して上方向又は下方向に傾斜して取付けられることが好適である。本実施形態の消火作業用油圧ショベル１では、放水用ノズル３０がアーム２２に対して上方向に傾斜されている。このように傾斜して取付けることによって、バケット２３を動かしたときに、放水された水がバケット２３に干渉して遮られることが少なくなる。
【００２８】
また、放水用ノズル３０は、油圧ショベル１０のアーム２２に対して左右方向（上部旋回体１２の旋回方向）のうち運転席１３側に傾斜されている。これは、放水するときに、消火対象物７０（図５参照）と放水の様子がアーム２２やバケット２３に遮られて見えなくなることを防止するためである。また、放水用ノズル３０が左右方向に傾斜されることによって、上記の放水用ノズル３０が上方向に傾斜されていることと相まって、放水された水がバケット２３に干渉することをより効果的に防止することができる。
【００２９】
供給配管４０は、図示しない消火栓、ポンプ車等からの配管から圧送されてきた消火用の水を放水用ノズル３０に供給するもので、第１鋼管４１、第２鋼管４２、可撓管４３、及び第１継手４４から第７継手５０を備える。
【００３０】
第１鋼管４１及び第２鋼管４２は、油圧ショベル１０の作業装置２０のうち、アーム２２及びブーム２１に沿って設けられる配管であり、本実施形態では、一般的な水道配管用鋼管を採用している。これらの第１鋼管４１及び第２鋼管４２は、Ｕ字ボルト等を備える取付具５１によって、アーム２２及びブーム２１の側面に固定される。
【００３１】
可撓管４３は、第２鋼管４２のうちブーム２１の根元側の端部から、油圧ショベル１０の上部旋回体１２の上を通り、油圧ショベル１０の後端近傍まで設けられる配管で、公知のポリエチレン管等が採用される。
【００３２】
この可撓管４３は、油圧ショベル１０の上部旋回体１２の上で、多少の自由度を有しながらその位置を固定するために、図３に示すようなホースガイド６０に設置される。このホースガイド６０は、略Ｈ字状をしたものであり、２本の縦棒６１と、その間に渡された横棒６２と、前記横棒６２に回動自在に被せられたローラ６３とを備える。ホースガイド６０は、油圧ショベル１０の上部旋回体１２のうち、エンジンカバー１４近傍、及びカウンターウエイト１５の上面近傍に２箇所設けられ、可撓管４３は、そのホースガイド６０のローラ６３の上を這わされる。そして、作業装置２０の動作に伴い、可撓管４３は前記ローラ６３の上を前後に移動する。
【００３３】
図１及び図２に戻る。第１継手４４は、放水用ノズル３０を第２継手４５に接続するための継手であり、本実施形態では、消防用継手と水道配管用鋼管とを接続する公知の継手を採用している。第２継手４５は、放水用ノズル３０をアーム２２に対して上方向かつ運転席１３側に傾斜させるとともに、第１継手４４と第１鋼管４１とを接続するもので、本実施形態では４５度エルボを用いている。
【００３４】
第３継手４６及び第４継手４７は、油圧ショベル１０のアーム２２とブーム２１との連結部２５に対応する箇所に設けられる継手である。第３継手４６は、第１鋼管４１のうちブーム２１側の端部に設けられるもので、公知の伸縮継手４６が採用される。これは、アーム２２がブーム２１に対して伸長又は屈曲されたとき、当該部分が伸縮することによって後述する第４継手４７の曲げ角度を低減させるためである。
【００３５】
第４継手４７は、第３継手４６と第２鋼管４２のうちアーム２２側の端部とを接続するための継手であり、可撓性を有する配管を備えるフレキシブル継手４７である。この第４継手４７及び前述の第３継手４６の作用によって、第１鋼管４１と第２鋼管４２を屈曲自在に接続することができるのである。
【００３６】
例えば、アーム２２がブーム２１に対して伸ばされたとき、第１鋼管４１と第２鋼管４２との距離が縮まり、伸縮継手４６も縮まる。これにより、フレキシブル継手４７の曲げ角度が低減される。一方、アーム２２がブーム２１に対して屈曲されたとき、第１鋼管４１と第２鋼管４２との距離が伸び、伸縮継手４６も伸びる。これにより、フレキシブル継手４７の長さを短くすることができる。これらの作用によって、フレキシブル継手４７の曲げ角度を抑制でき、フレキシブル継手４７の折れや無理な曲げによる破損を防止することができる。なお、本実施形態では、伸縮継手４６は第１鋼管４１側のみに設けられているが、第２鋼管４２側、又は第１鋼管４１側と第２鋼管４２側の双方に設けることもできる。
【００３７】
第５継手４８は、第２鋼管４２と可撓管４３とを接続するための公知の継手である。第６継手４９は、可撓管４３と第７継手５０とを接続するための公知の継手である。第７継手５０は、消防用配管を接続するための消防用継手である。この第７継手５０に、図示しない消防用配管が接続され、同じく図示しない消火栓又はポンプ車等から消火用の水が圧送されてくる。
【００３８】
次に、図４及び図５を参照しながら、上述の消火作業用油圧ショベル１の各構成要素を踏まえて、該消火作業用油圧ショベル１を用いた消火方法について説明する。
【００３９】
図４及び図５に示すように、消火対象物７０である建物７０等に火災が発生しているとき、消火作業用油圧ショベル１を操作して、建物７０に近づく。このとき、油圧ショベル１０は一般に耐熱を考慮して設計されておらず、作業装置２０を動作させるための油圧ホースや油圧シリンダ２４のシール等は熱に弱い。また、油圧ショベル１０を操作する運転者も火災の熱に曝される。そこで、広角噴霧用ノズル３２から広角に霧状又は粒状に放水ｗ２を行い、消火作業用油圧ショベル１の前方周囲を冷却する。これにより、油圧ショベル１０の部品及び運転者を熱から守ることができる。同時に、棒状放水用ノズル３１から棒状の放水ｗ１を行い、火元７１に注水し消火を行なう。
【００４０】
この消火作業において、棒状放水用ノズル３１及び広角噴霧用ノズル３２が、アーム２２に対して左右方向で運転席１３側に傾斜されている。このため、図５矢印ａに示すように、運転者から見て油圧ショベル１０の作業装置２０が邪魔にならず、建物７０、火元７１、及び放水ｗ１，ｗ２の状態を直接目視することができる。
【００４１】
また、火災の状況によっては、建物７０の屋根や壁等を取り壊さないと効果的な放水ができないときがある。このようなとき、消火作業用油圧ショベル１のバケット２３等のアタッチメント２３を用いて、建物７０の一部を取り壊すことができる。このときも、広角噴霧用ノズル３２からの放水ｗ２によって消火作業用油圧ショベル１の前方を冷却するため、比較的容易に建物７０まで接近することができる。
【００４２】
また、火災が震災によって引き起こされた場合、火災現場までに瓦礫等が散乱し、消防車が容易に近づくことができない場合がある。そのようなときでも、消火作業用油圧ショベル１であれば、瓦礫を除去しながら又は瓦礫の上を走行することができ、消火活動をすることができる。
【００４３】
以上、説明したように、本実施形態の消火作業用油圧ショベル１及び消火方法によれば、放水用ノズル３０が油圧ショベル１０のアーム２２に設けられており、作業装置２０の先端であるバケット２３の動きに連動しない。このため、単に放水のみの消火作業をするときには、バケット２３を消火作業の邪魔にならない角度にしておくことができる。一方、消火対象物７０である建物７０を取り壊す場合、バケット２３を操作しても放水用ノズル３０の向きが変化することがなく、取り壊し作業と放水とを同時に行なうことができる。
【００４４】
また、放水用ノズル３０がアーム２２に対して上下方向に傾斜されているため、放水された水がバケット２３を避け、水とバケット２３との干渉を防止することができ、バケット２３の操作を比較的自由に行なうことができる。また、放水用ノズル３０がアーム２２の左右方向のうち運転席１３側に傾斜されているため、運転者が火元７１を見るときに、アーム２２等が邪魔にならず、的確に火元７１に放水することができる。
【００４５】
また、放水用ノズル３０として、広角噴霧用ノズル３２と棒状放水用ノズル３１とを備えるため、広角噴霧用ノズル３２からの放水によって、消火作業用油圧ショベル１の前方を冷却することができる。これにより、油圧ショベル１０の油圧ホース等の部品と運転者とを火災の熱から守ることができ、火災現場の近くまで接近することができる。
【００４６】
また、供給配管４０のうち、第１鋼管４１と第２鋼管４２とを接続するための第３継手４６と第４継手４７に、伸縮継手４６とフレキシブル継手４７を採用しているため、消火用水の水圧に耐えながら、油圧ショベル１０のアーム２２とブーム２１とが伸長又は屈曲される角度に対応することができ、さらに、フレキシブル継手４７の寿命の向上を図ることができる。
【００４７】
なお、上述の消火作業用油圧ショベル及び該消火作業用油圧ショベルを用いた消火方法は、本発明の例示であり、発明の趣旨を逸脱しない範囲において、その構成を適宜変更することができる。
【符号の説明】
【００４８】
１・・消火作業用油圧ショベル、
１０・・油圧ショベル、１１・・下部走行体、１２・・上部旋回体、１３・・運転席、１４・・エンジンカバー、１５・・カウンターウエイト、
２０・・作業装置、２１・・ブーム、２２・・アーム、２３・・バケット（アタッチメント）、２４・・油圧シリンダ、２５・・連結部、
３０・・放水用ノズル、３１・・棒状放水用ノズル、３２・・広角噴霧用ノズル、
４０・・供給配管、４１・・第１鋼管、４２・・第２鋼管、４３・・可撓管、４４・・第１継手、４５・・第２継手、４６・・第３継手（伸縮継手）、４７・・第４継手（フレキシブル継手）、４８・・第５継手、４９・・第６継手、５０・・第７継手、５１・・取付具、
６０・・ホースガイド、６１・・縦棒、６２・・横棒、６３・・ローラ、
７０・・消火対象物（建物）、７１・・火元、
【図１】
2019154945.tif 000003
【図２】
2019154945.tif 000004
【図３】
2019154945.tif 000005
【図４】
2019154945.tif 000006
【図５】
2019154945.tif 000007